(57)【要約】【課題】撮影レンズとの画角連動のズレの補正だけでなく、ズームファインダー光学系用のカム回転角度が３６０度以上になってもカム回転範囲を規制することができ、クラッチ機構の前後方向の長さを小さくすることが可能となる光学ファインダー装置およびカメラを提供する。【解決手段】ズームファインダー光学系を可動させるためのカムフォロアーと係合するカム溝の形成されたカム筒を備え、該カム筒のカム溝端をズーム動作の使用領域の端位置と一致させ、該カム溝端に該カムフォロアーを当接させてカムの回転範囲を規制可能とするカム機構と、該カム筒部に構成され、該ズームファインダー光学系における前記撮影レンズとのズーム位置ズレを補正可能とするクラッチ機構と、によって光学ファインダー装置への駆動力伝達手段を構成する。【選択図】            図２
2005215292.tif 000002
【特許請求の範囲】
【請求項１】
撮影レンズのズーム動作に連動してズームファインダー光学系を動作させる駆動力伝達手段を有する光学ファインダー装置において、
前記駆動力伝達手段は、前記ズームファインダー光学系の可動レンズ移動枠に設けられたカムフォロアーと係合するカム溝の形成されたカム筒を備え、該カム筒のカム溝端を前記ズーム動作の使用領域の端位置と一致させ、該カム溝端に前記カムフォロアーを当接させてカムの回転範囲を規制可能とするカム機構と、
前記カム筒部に構成され、前記ズームファインダー光学系における前記撮影レンズとのズーム位置ズレを補正可能とするクラッチ機構と、
を有することを特徴とする光学ファインダー装置。
【請求項２】
前記カム筒は、前記ズームファインダー光学系における一方の可動レンズ移動枠のカムフォロアーに対するカム筒部と、他方の可動レンズ移動枠のカムフォロアーに対するカム筒部とに分割され、該分割された一方のカム筒部と他方のカム筒部との間に前記クラッチ機構を構成する動力伝達部が配置されていることを特徴とする請求項１に記載の光学ファインダー装置。
【請求項３】
前記クラッチ機構は、前記分割された一方のカム筒部内に配置された付勢手段を有し、該付勢手段によってワッシャーを介して前記クラッチ機構を構成する動力伝達部を前記分割された他方のカム筒部に対して押圧することを特徴とする請求項２に記載の光学ファインダー装置。
【請求項４】
前記カム機構は、カムの回転角度が少なくとも３６０度を越える範囲に亙って、ズーム域から沈胴域まで連続したカム溝が形成されたカム筒を有することを特徴とする請求項１〜３のいずれか１項に記載の光学ファインダー装置。
【請求項５】
撮影レンズの動作に連動して動作する光学ファインダー装置を有するカメラにおいて、前記光学ファインダー装置が請求項１〜４のいずれか１項に記載の光学ファインダー装置によって構成されていることを特徴とするカメラ。
【発明の詳細な説明】
【技術分野】
【０００１】
本発明はカメラ、ビデオカメラ、デジタルスチルカメラ等の撮影装置に用いられるレンズ鏡筒の近傍に配置される光学ファインダー装置に関するものである。
【背景技術】
【０００２】
従来において、カメラ・ビデオカメラ・デジタルスチルカメラ等の撮影装置に用いられるレンズ鏡筒の近傍に配置される光学ファインダーは、ズーム（変倍）のための複数の可動レンズを備え、これらの可動レンズはファインダー用のカム機構（カム鏡筒等）、ギヤ列等によって、撮影用ズームレンズのズーム動作に連動するように光軸方向に位置調整されている。
【０００３】
従来、このようなカメラのファインダー機構として、特許文献１では光学ファインダーの可動レンズを、撮影用ズームレンズのズーム動作に連動させるようにした図３に示されるようなカム機構が提案されている。図３において（ａ）はズームファインダー駆動機構の縦断面図、（ｂ）はズームファインダー駆動部の摩擦クラッチとカムの分解斜視図であり、（ｃ）はカムを時計回りに回動した場合の回動規制状態を示す図であり、（ｄ）はカムを反時計回りに回動した場合の回動規制状態を示す図である。これによれば、図３（ａ）に示されるようにファインダー駆動機構を構成する円筒カム７１が、その円筒形状の外周に端面カム７１ａ，７１ｂとして設けられ、可動レンズ（ズームファインダー光学系１０８）を支持する可動レンズ枠のカムフォロアー９１ａ，９２ａを、上記端面カム７１ａ，７１ｂに対してバネ７７，７８によって付勢し、上記円筒カム７１を軸中心に回転することで可動レンズの位置制御をするように構成されている。
【０００４】
ここで、カムの回転範囲は、図３（ｂ）に示されるように円筒カム７１の軸部に平行な略径方向に設けられた２つの平坦部７１ｅ，７１ｆが、本体７６の回動ストッパー部７６ａと当接し（図３（ｃ））、あるいはカムフォロアー９１ａを介して回動ストッパー部７６ｃと当接（図３（ｃ））することによって回動規制されるように構成されている。また、上記円筒カム７１の前部に、クラッチ板、コイルバネ、ギヤ、Ｅ型リング等から成る摩擦クラッチ機構が配置されており、駆動源→ギヤ７４→クラッチ板７２ａ，７２ｂ，７２ｃ→円筒カム７１→カムフォロアー９１ａ，９２ａ→可動レンズ（ズームファインダー光学系１０８）の順番に動力が伝達される構成になっている。これによれば、カム回転端位置になった後、さらに、同一方向にカムを回転させるように駆動源が動作し続けても、クラッチ機構より先の部材（円筒ム７１、カムフォロアー９１ａ，９２ａ、可動レンズ（ズームファインダー光学系１０８））は、動かない構成なっている。
【特許文献１】特開平１１−２１２１４４号公報
【発明の開示】
【発明が解決しようとする課題】
【０００５】
しかしながら、上記特許文献１における従来例のものでは、前述したようにカムの回転範囲が、円筒カムの軸部に平行な略径方向に設けられた２つの平坦部が、本体の回動ストッパー部と当接することによって規制されることから、カムの回転範囲が１回転（３６０度）以内に制約されることになり、カムの回転範囲を１回転（３６０度）以上、必要とする場合等に問題が生じる。例えば、ファインダー用のカム機構においては、ズーム域のカムと、メカ的に全長を短縮（収納）させる、いわゆる沈胴域のカムとを連続して設けるのが一般的であり、このような場合、カムを１回転（３６０度）以上回転させなければカムの作動範囲が充足されないことから、上記従来例のものではこのような場合に対応することができないという問題を有している。また、上記従来例のものでは、摩擦クラッチ機構を円筒カムの前方部に配置していることから、前後方向のメカ的長さが大きくなるという点でも問題を有している。
【０００６】
そこで、本発明は上記課題を解決し、ズームファインダー光学系における撮影レンズとのズーム位置ズレの補正だけでなく、ズームファインダー光学系用のカムの回転角度が３６０度以上になってもカムの回転範囲を規制することができ、クラッチ機構の前後方向のメカ的長さを小さくすることが可能となる光学ファインダー装置およびカメラを提供することを目的とする。
【課題を解決するための手段】
【０００７】
本発明は、以下のように構成した光学ファインダー装置およびカメラを提供するものである。
すなわち、本発明の光学ファインダー装置は、撮影レンズのズーム動作に連動してズームファインダー光学系を動作させる駆動力伝達手段を有する光学ファインダー装置において、前記駆動力伝達手段は、前記ズームファインダー光学系の可動レンズ移動枠に設けられたカムフォロアーと係合するカム溝の形成されたカム筒を備え、該カム筒のカム溝端を前記ズーム動作の使用領域の端位置と一致させ、該カム溝端に前記カムフォロアーを当接させてカムの回転範囲を規制可能とするカム機構と、前記カム筒部に構成され、前記ズームファインダー光学系における前記撮影レンズとのズーム位置ズレを補正可能とするクラッチ機構と、を有することを特徴としている。このように、上記カムの回転範囲を規制するカム機構により、ファインダー用のカムの回転角度が３６０度以上になっても、カムの回転範囲の両端にて回転を規制することができ、また、上記したクラッチ機構により、ズームファインダー光学系とズーム撮影レンズとの画角連動にメカ的ズレが生じても、メカ端を通過することで上記ズレを補正することができる。
また、本発明の光学ファインダー装置は、前記カム筒が、前記ズームファインダー光学系における一方の可動レンズ移動枠のカムフォロアーに対するカム筒部と、他方の可動レンズ移動枠のカムフォロアーに対するカム筒部とに分割され、該分割された一方のカム筒部と他方のカム筒部との間に前記クラッチ機構を構成する動力伝達部が配置されていることを特徴としており、また、前記クラッチ機構は、前記分割された一方のカム筒部内に配置された付勢手段を有し、該付勢手段によってワッシャーを介して前記クラッチ機構を構成する動力伝達部を前記分割された他方のカム筒部に対して押圧することを特徴としている。これらの構成により、摩擦クラッチ機構を円筒カムの前方部に配置した前記した従来例のものに比して、クラッチ機構の前後方向のメカ的長さを小さくすることが可能となる。また、本発明の光学ファインダー装置は、前記カム機構は、カムの回転角度が少なくとも３６０度を越える範囲に亙って、ズーム域から沈胴域まで連続したカム溝が形成されたカム筒を有することを特徴としている。
また、本発明のカメラは、撮影レンズの動作に連動して動作する光学ファインダー装置を有するカメラにおいて、前記光学ファインダー装置が上記したいずれかに記載の光学ファインダー装置によって構成されていることを特徴としている。
【発明の効果】
【０００８】
本発明によれば、撮影レンズの動作に連動して動作する光学ファインダー装置において、ズームファインダー光学系における撮影レンズとのズーム位置ズレの補正だけでなく、ズームファインダー光学系用のカムの回転角度が３６０度以上になってもカムの回転範囲を規制することができ、クラッチ機構の前後方向のメカ的長さを小さくすることが可能となる光学ファインダー装置およびカメラを実現できる。
【発明を実施するための最良の形態】
【０００９】
本発明を実施するための最良の形態を、以下の実施例により説明する。
【実施例】
【００１０】
図１は本発明の実施例におけるズーム光学ファインダーの全体構成における主要構成部を示す図であり、（ａ）は後方からの斜視図側面図、（ｂ）は上面図、（ｃ）は前方からの斜視図、（ｄ）は前面図、（ｅ）は側面図、（ｆ）は後面図、（ｇ）は底面図である。
図１において、１は固定の対物Ｇ１レンズ、２は可動のＧ２レンズ移動枠、３は可動のＧ３レンズ移動枠、４は可動のＧ４レンズ移動枠、５は固定の三角プリズムである。
６は固定の視野枠、７は固定のダハプリズム、８は固定の接眼Ｇ５レンズである。また、９は固定のガイドバーで、可動のレンズ移動枠２・３・４の前後方向直進移動をガイドするためのものである。
１０は固定のカム軸、１１は前カム筒、１２は後カム筒、１３はカム用ギアであり、固定のカム軸１０を中心にして、１１・１２・１３の３部品は、一体的に回転する。
【００１１】
ここで、前カム筒１１・後カム筒１２の外周には、カム溝１１−ａ・１２−ａ・１２−ｂが設けてあり、可動のレンズ移動枠２・３・４に設けられたカムフォロアー２−ａ・３−ａ・４−ａと係合しているので、不図示の駆動源からの駆動力がカム用ギア１３に伝達されると、前カム筒１１・後カム筒１２が回転し、レンズ移動枠２・３・４は、所定の位置に移動して、光学ファインダーがズーム動作するよう構成されている。
【００１２】
図２は、本実施例のズーム光学ファインダーの可動レンズの位置制御をするカム筒ユニットを示す図であり、（ａ）はカム筒Ｒ（１０２）のＤ視図、（ｂ）は前面図、（ｃ）はカム筒ユニットの断面図、（ｄ）はカム筒Ｆ，Ｒの展開図、（ｅ）は側面図、（ｆ）は後面図、（ｇ）はカム筒Ｒを外したＣ視図である。
図２において、１０１は、可動レンズＧ２を動かす『カム筒Ｆ』で、その外周部には、カム溝１０１−ａが設けられている。カム溝１０１−ａは、Ｗｉｄｅ位置を基準にして図２の（ｄ）の展開図に示すＡ方向に２７６°回転したＴｅｌｅ位置までと、Ｗｉｄｅ位置を基準にして図２の（ｄ）の展開図に示すＢ方向に２２１°回転した沈胴位置まで、ズーム域から連続して切られている。本実施例においてはＴｅｌｅ端、沈胴端にカム余裕は設けていない。
【００１３】
１０２は、可動レンズＧ３・Ｇ４を動かす『カム筒Ｒ』で、その外周部には、カム溝１０２−ａとカム溝１０２−ｂが設けられている。カム溝１０２−ａとカム溝１０２−ｂは、Ｗｉｄｅ位置を基準にして上記Ａ方向に２７６°回転したＴｅｌｅ位置までと、Ｗｉｄｅ位置を基準にして上記Ｂ方向に２２１°回転した沈胴位置まで、ズーム域から連続して切られている。本実施例においてはＴｅｌｅ端、沈胴端にカム余裕は設けていない。
【００１４】
本実施例のカム筒は、一方のカム筒Ｆ（１０１）と他方のカム筒Ｒ（１０２）に分割されている。これらのカム筒Ｆ（１０１）・カム筒Ｒ（１０２）の外周には、Ｇ２カム溝１０１−ａ・Ｇ３カム溝１０２−ａ・Ｇ４カム溝１０１−ｂが設けてあり、可動のレンズ移動枠に設けられたＧ２カムフォロアー・Ｇ３カムフォロアー・Ｇ４カムフォロアーとそれぞれ係合している。
【００１５】
１０３は、本実施例におけるクラッチ機構を構成する駆動源からの動力を伝達する『カムギア』で、その内周がカム筒Ｆ１０１に回転自在に設けられている。１０４は、カムギア（１０３）に接するように設けられたカムワッシャーであり、１０５はカムバネであり圧縮コイルバネで形成され、カム筒Ｆ（１０１）の内部に配置されている。本実施例のクラッチ機構においては、このカムバネ１０５の付勢力により、カムワッシャー（１０４）を介して、カムギア（１０３）をカム筒Ｒ（１０２）に押圧するように構成されている。
【００１６】
次に、本実施例の上記構成におけるカム筒ユニット及びクラッチ機構等による動作について説明する。
ここでは、「Ｗｉｄｅ位置→Ｔｅｌｅ位置→Ｗｉｄｅ位置→沈胴位置→Ｗｉｄｅ位置」の１サイクルの動作を考えることとし、以下に、（１）各可動レンズのカムフォロアー初期位置が、Ｗｉｄｅ位置で初期位置にずれの無い場合、（２）各可動レンズのカムフォロアー初期位置が、Ｗｉｄｅ位置からＴｅｌｅ方向に１０°ずれた場合、（３）各可動レンズのカムフォロアー初期位置が、Ｗｉｄｅ位置から沈胴方向に１０°ずれた場合について説明する。
【００１７】
（１）各可動レンズのカムフォロアー初期位置が、Ｗｉｄｅ位置で初期位置にずれの無い場合
上記構成において、駆動源ＸからＴｅｌｅ方向の駆動力がカムギア（１０３）に伝達されると、カム筒ユニットはＡ方向に回転しはじめ、Ｇ２・Ｇ３・Ｇ４レンズ移動枠の各カムフォロアーは、それぞれのカム溝をトレースし、Ｔｅｌｅ方向にズーム動作を行う。駆動源Ｘからは、設計値どおり、カム筒ユニットをＡ方向に２７６°回転させるだけの駆動力が供給されるので、カムフォロアーは、丁度、カム溝Ｔｅｌｅ端の位置で止まることができる。
次に、駆動源ＸからＷｉｄｅ方向の駆動力がカムギア（１０３）に伝達されると、カム筒ユニットはＢ方向に回転しはじめ、Ｇ２・Ｇ３・Ｇ４の各カムフォロアーは、それぞれのカム溝をトレースし、Ｗｉｄｅ方向にズーム動作を行う。駆動源Ｘからは、設計値どおり、カム筒ユニットをＢ方向に２７６°回転させるだけの駆動力が供給されるので、カムフォロアーは、丁度、カム溝Ｗｉｄｅの位置で止まることができる。
次に、駆動源Ｘから沈胴方向の駆動力がカムギア（１０３）に伝達されると、カム筒ユニットはＢ方向に回転しはじめ、Ｇ２・Ｇ３・Ｇ４レンズ移動枠の各カムフォロアーは、それぞれのカム溝をトレースし、Ｗｉｄｅ位置を保持する動作を行う。駆動源Ｘからは、設計値どおり、カム筒ユニットをＢ方向に２２１°回転させるだけの駆動力が供給されるので、カムフォロアーは、丁度、カム溝沈胴端の位置で止まることができる。
次に、駆動源ＸからＷｉｄｅ方向の駆動力がカムギア（１０３）に伝達されると、カム筒ユニットはＡ方向に回転しはじめ、Ｇ２・Ｇ３・Ｇ４レンズ移動枠の各カムフォロアーは、それぞれのカム溝をトレースし、Ｗｉｄｅ位置を保持する動作を行う。駆動源Ｘからは、設計値どおり、カム筒ユニットをＡ方向に２２１°回転させるだけの駆動力が供給されるので、カムフォロアーは、丁度、カム溝Ｗｉｄｅの位置で止まることができる。
【００１８】
（２）各可動レンズのカムフォロアー初期位置が、Ｗｉｄｅ位置からＴｅｌｅ方向に１０°ずれた場合
駆動源ＸからＴｅｌｅ方向の駆動力がカムギア（１０３）に伝達されると、カム筒ユニットはＡ方向に回転しはじめ、Ｇ２・Ｇ３・Ｇ４レンズ移動枠の各カムフォロアーは、それぞれのカム溝をトレースし、Ｔｅｌｅ方向にズーム動作を行う。駆動源Ｘからは、設計値どおり、カム筒ユニットをＡ方向に２７６°回転させるだけの駆動力が供給されるので、Ａ方向に２６６°回転した所で、カムフォロアーは、丁度、カム溝Ｔｅｌｅ端の位置で突当たる。その後、さらにＡ方向に１０°回転する分だけ駆動力が供給されるものの、カムギア（１０３）とカム筒Ｆ（１０１）＆カム筒Ｒ（１０２）の間には、クラッチ機構（スリップ機構）があるので、カムギア（１０３）だけが、１０°空転し、カム筒Ｆ（１０１）＆カム筒Ｒ（１０２）は、その位置を保持することにより、上記初期位置ずれが補正される。
次に、駆動源ＸからＷｉｄｅ方向の駆動力がカムギア（１０３）に伝達されると、カム筒ユニットはＢ方向に回転しはじめ、Ｇ２・Ｇ３・Ｇ４レンズ移動枠の各カムフォロアーは、それぞれのカム溝をトレースし、Ｗｉｄｅ方向にズーム動作を行う。駆動源Ｘからは、設計値どおり、カム筒ユニットをＢ方向に２７６°回転させるだけの駆動力が供給されるので、カムフォロアーは、丁度、カム溝Ｗｉｄｅの位置で止まることができる。
次に、駆動源Ｘから沈胴方向の駆動力がカムギア（１０３）に伝達されると、カム筒ユニットはＢ方向に回転しはじめ、Ｇ２・Ｇ３・Ｇ４レンズ移動枠の各カムフォロアーは、それぞれのカム溝をトレースし、Ｗｉｄｅ位置を保持する動作を行う。駆動源Ｘからは、設計値どおり、カム筒ユニットをＢ方向に２２１°回転させるだけの駆動力が供給されるので、カムフォロアーは、丁度、カム溝沈胴端の位置で止まることができる。
次に、駆動源ＸからＷｉｄｅ方向の駆動力がカムギア（１０３）に伝達されると、カム筒ユニットはＡ方向に回転しはじめ、Ｇ２・Ｇ３・Ｇ４レンズ移動枠の各カムフォロアーは、それぞれのカム溝をトレースし、Ｗｉｄｅ位置を保持する動作を行う。駆動源Ｘからは、設計値どおり、カム筒ユニットをＡ方向に２２１°回転させるだけの駆動力が供給されるので、カムフォロアーは、丁度、カム溝Ｗｉｄｅの位置で止まることができる。
【００１９】
（３）各可動レンズのカムフォロアー初期位置が、Ｗｉｄｅ位置から沈胴方向に１０°ずれた場合  
駆動源ＸからＴｅｌｅ方向の駆動力がカムギア（１０３）に伝達されると、カム筒ユニットはＡ方向に回転しはじめ、Ｇ２・Ｇ３・Ｇ４レンズ移動枠の各カムフォロアーは、それぞれのカム溝をトレースし、Ｔｅｌｅ方向にズーム動作を行う。駆動源Ｘからは、設計値どおり、カム筒ユニットをＡ方向に２７６°回転させるだけの駆動力が供給されるので、カムフォロアーは、カム溝Ｔｅｌｅ端手前１０°の位置で止まることになる。
次に、駆動源ＸからＷｉｄｅ方向の駆動力がカムギア（１０３）に伝達されると、カム筒ユニットはＢ方向に回転しはじめ、Ｇ２・Ｇ３・Ｇ４レンズ移動枠の各カムフォロアーは、それぞれのカム溝をトレースし、Ｗｉｄｅ方向にズーム動作を行う。駆動源Ｘからは、設計値どおり、カム筒ユニットをＢ方向に２７６°回転させるだけの駆動力が供給されるので、カムフォロアーは、カム溝Ｗｉｄｅ位置から沈胴方向の１０°ずれた位置で止まることになる。
次に、駆動源Ｘから沈胴方向の駆動力がカムギア（１０３）に伝達されると、カム筒ユニットはＢ方向に回転しはじめ、Ｇ２・Ｇ３・Ｇ４レンズ移動枠の各カムフォロアーは、それぞれのカム溝をトレースし、Ｗｉｄｅ位置を保持する動作を行う。駆動源Ｘからは、設計値どおり、カム筒ユニットをＢ方向に２２１°回転させるだけの駆動力が供給されるので、Ｂ方向に２１１度回転したところで、カムフォロアーは、丁度、カム溝沈胴端の位置で突当たる。その後、さらにＢ方向に１０°回転する分だけ駆動力が供給されるものの、カムギア（１０３）とカム筒Ｆ（１０１）＆カム筒Ｒ（１０２）の間には、クラッチ機構（スリップ機構）があるので、カムギア（１０３）だけが、１０°空転し、カム筒Ｆ（１０１）＆カム筒Ｒ（１０２）は、その位置を保持することにより、上記初期位置ずれが補正される。
次に、駆動源ＸからＷｉｄｅ方向の駆動力がカムギア（１０３）に伝達されると、カム筒ユニットはＡ方向に回転しはじめ、Ｇ２・Ｇ３・Ｇ４レンズ移動枠の各カムフォロアーは、それぞれのカム溝をトレースし、Ｗｉｄｅ位置を保持する動作を行う。駆動源Ｘからは、設計値どおり、カム筒ユニットをＡ方向に２２１°回転させるだけの駆動力が供給されるので、カムフォロアーは、丁度、カム溝Ｗｉｄｅの位置で止まることができる。
【００２０】
以上、「各レンズ移動枠のカムフォロアー」と「カム溝」との位相位置ずれに関し、場合1)（初期位置ずれ無し）、場合2)（初期位置ずれ有り）、場合3)（初期位置ずれ有り）の３通りの動作を説明した。
本実施例の上記構成によれば、初期位置ずれの無い場合1)では、何の問題も生じないのは当然のことながら、初期位置ずれの有る場合2)・場合3)でも、「Ｗｉｄｅ位置→Ｔｅｌｅ位置→Ｗｉｄｅ位置→沈胴位置→Ｗｉｄｅ位置」の１サイクル動作を行うと、初期位置ずれがメカ端位置で補正することが可能となる。
【図面の簡単な説明】
【００２１】
【図１】本発明の実施例におけるズーム光学ファインダーの全体構成における主要構成部を示すであり、（ａ）は後方からの斜視図側面図、（ｂ）は上面図、（ｃ）は前方からの斜視図、（ｄ）は前面図、（ｅ）は側面図、（ｆ）は後面図、（ｇ）は底面図である。
【図２】本発明の実施例におけるズーム光学ファインダーの可動レンズの位置制御をするカム筒ユニットを示す図であり、（ａ）はカム筒Ｒ（１０２）のＤ視図、（ｂ）は前面図、（ｃ）はカム筒ユニットの断面図、（ｄ）はカム筒Ｆ，Ｒの展開図、（ｅ）は側面図、（ｆ）は後面図、（ｇ）はカム筒Ｒを外したＣ視図である。
【図３】従来例である特許文献１のカメラのファインダ機構を説明する図であり、（ａ）はズームファインダー駆動機構の縦断面図、（ｂ）はズームファインダー駆動部の摩擦クラッチとカムの分解斜視図であり、（ｃ）はカムを時計回りに回動した場合の回動規制状態を示す図であり、（ｄ）はカムを反時計回りに回動した場合の回動規制状態を示す図である。
【符号の説明】
【００２２】
１０１：カム筒Ｆ
１０１−ａ：カム溝
１０２：カム筒Ｒ
１０２−ａ：カム溝
１０２−ｂ：カム溝
１０３：カムギア
１０４：カムワッシャー
１０５：カムバネ
１：対物Ｇ１レンズ
２：Ｇ２レンズ移動枠
２−ａ：Ｇ２レンズ移動枠のカムフォロアー
３：Ｇ３レンズ移動枠
３−ａ：Ｇ３レンズ移動枠のカムフォロアー
４：Ｇ４レンズ移動枠
４−ａ：Ｇ４レンズ移動枠のカムフォロアー
５：三角プリズム
６：視野枠
７：ダハプリズム
８：接眼Ｇ５レンズ
９：ガイドバー
１０：カム軸
１１：前カム筒
１２：後カム筒
１３：カム用ギア
【図１】
2005215292.tif 000003
【図２】
2005215292.tif 000004
【図３】
2005215292.tif 000005